(57)【要約】【課題】操作性を向上できるコンソールユニットを提供する。【解決手段】コンソールユニットは、コンソール３を支持する支持機構４と、出入口を有し、支持機構４を収容可能なラック部材と、ラック部材に設けられ、ラック部材に対して支持機構４が出入口を通過するように支持機構４をガイドするガイド機構とを備える。支持機構４は、コンソール３を支持する第１面２１及び第１面２１の反対側の第２面２２を有し、コンソール３を支持して回転可能な回転部材１２を有する。【選択図】図５
2011065549.tif 000002
【特許請求の範囲】
【請求項１】
コンソールを支持する支持機構と、
出入口を有し、前記支持機構を収容可能なラック部材と、
前記ラック部材に設けられ、前記ラック部材に対して前記支持機構が前記出入口を通過するように前記支持機構をガイドするガイド機構と、を備え、
前記支持機構は、前記コンソールを支持する第１面及び前記第１面の反対側の第２面を有し、前記コンソールを支持して回転可能な回転部材を有するコンソールユニット。
【請求項２】
前記ガイド機構は、所定面の所定方向に前記支持機構をガイドし、
前記回転部材は、前記所定面内において回転する請求項１記載のコンソールユニット。
【請求項３】
前記支持機構は、前記第２面と対向する第３面を有し、前記ガイド機構にガイドされるベース部材と、
前記第３面にリング状に設けられたレールと、
前記回転部材に設けられ、前記レール上を移動する車輪とを有する請求項１又は２記載のコンソールユニット。
【請求項４】
前記回転部材は、回転中心に形成され、前記コンソールに接続されるケーブルを配置可能な開口を有する請求項１〜３のいずれか一項記載のコンソールユニット。
【請求項５】
前記コンソールは、前記第１面に支持される第１部分と、ヒンジを介して前記第１部分に接続される第２部分とを含む請求項１〜４のいずれか一項記載のコンソールユニット。
【請求項６】
出入口を有するラック部材と、
前記ラック部材の内面に固定されたガイドレールと、
前記出入口を通過するように前記ガイドレールに移動可能に支持されたスライドレールと、
前記スライドレールの一端に支持された第１部材と、
前記第１部材上で第２部材を回転可能に支持する回転機構と、を備えるラック装置。
【請求項７】
前記第２部材は、前記ガイドレールの移動方向を含む所定面内において回転可能に支持され、
前記所定面内における前記第２部材の外形は、前記第１部材の外形より小さい請求項６記載のラック装置。
【請求項８】
前記回転機構は、前記第１部材上に設けられたレールと、
前記第２部材に設けられ、前記レール上を移動する車輪とを有する請求項６又は７記載のラック装置。
【請求項９】
前記第２部材は、回転中心に配置された貫通孔を有する請求項６〜８のいずれか一項記載のラック装置。
【請求項１０】
前記第１部材は、前記貫通孔の下端と対向する位置に開口を有する請求項９記載のラック装置。
【請求項１１】
前記第１部材は、開口に通じる内部空間を有する請求項１０記載のラック装置。
【請求項１２】
前記第２部材に支持される電子機器に接続されるケーブルの少なくとも一部が、前記内部空間、前記開口、及び前記貫通孔に亘って配置される請求項１１記載のラック装置。
【発明の詳細な説明】
【技術分野】
【０００１】
本発明は、コンソールユニット、及びラック装置に関する。
【背景技術】
【０００２】
サーバ等の通信装置は、例えば下記特許文献に開示されているような、ラック装置に収容されるコンソールを備えている。
【先行技術文献】
【特許文献】
【０００３】
【特許文献１】特開２００４−３５５２０５号公報
【発明の概要】
【発明が解決しようとする課題】
【０００４】
ラック装置からコンソールを引き出して使用する場合、例えばラック装置の周囲の環境によっては、作業者がコンソールを円滑に操作できなくなる可能性がある。
【０００５】
本発明は、操作性を向上できるコンソールユニット、及びラック装置を提供することを目的とする。
【課題を解決するための手段】
【０００６】
本発明の第１の態様に従えば、コンソールを支持する支持機構と、出入口を有し、前記支持機構を収容可能なラック部材と、前記ラック部材に設けられ、前記ラック部材に対して前記支持機構が前記出入口を通過するように前記支持機構をガイドするガイド機構と、を備え、前記支持機構は、前記コンソールを支持する第１面及び前記第１面の反対側の第２面を有し、前記コンソールを支持して回転可能な回転部材を有するコンソールユニットが提供される。
【０００７】
本発明の第２の態様に従えば、出入口を有するラック部材と、前記ラック部材の内面に固定されたガイドレールと、前記出入口を通過するように前記ガイドレールに移動可能に支持されたスライドレールと、前記スライドレールの一端に設けられた第１部材と、前記第１部材上で第２部材を回転可能に支持する回転機構と、を備えるラック装置が提供される。
【発明の効果】
【０００８】
本発明によれば、操作性を向上できる。
【図面の簡単な説明】
【０００９】
【図１】本実施形態に係るラック装置を備えたコンソールユニットの一例を示す斜視図である。
【図２】本実施形態に係るラック装置を備えたコンソールユニットの一例を示す斜視図である。
【図３】本実施形態に係るラック装置を備えたコンソールユニットの一例を示す斜視図である。
【図４】本実施形態に係る支持機構を上方から見た図である。
【図５】本実施形態に係る支持機構を示す側断面図である。
【発明を実施するための形態】
【００１０】
以下、本発明の実施形態について図面を参照しながら説明する。以下の説明においては、ＸＹＺ直交座標系を設定し、このＸＹＺ直交座標系を参照しつつ各部の位置関係について説明する。水平面内の所定方向をＸ軸方向、水平面内においてＸ軸方向と直交する方向をＹ軸方向、Ｘ軸方向及びＹ軸方向のそれぞれと直交する方向（鉛直方向、上下方向）をＺ軸方向とする。また、Ｘ軸、Ｙ軸及びＺ軸まわりの回転（傾斜）方向をそれぞれ、θＸ、θＹ及びθＺ方向とする。
【００１１】
図１，図２，及び図３は、本実施形態に係るラック装置２を備えたコンソールユニット１の一例を示す斜視図である。図１において、コンソールユニット１は、コンソール３を支持する支持機構４と、出入口５を有し、支持機構４を収容可能なラック部材６と、ラック部材６に設けられ、ラック部材６に対して支持機構４が出入口５を通過するように支持機構４をガイドするガイド機構７とを備えている。支持機構４は、コンソール３を支持して回転可能である。すなわち、支持機構４は、コンソール３を、図１に示す状態及び図３に示す状態の一方から他方へ変化させることができる。
【００１２】
ラック部材６は、床面上に配置される。ラック部材６は、支柱６Ｂを有する。ＸＹ平面内において、ラック部材６は、ほぼ四角形である。
【００１３】
ラック部材６は、内部空間８を有する。支持機構４は、内部空間８に移動可能である。出入口５は、内部空間８の中心に対して−Ｘ側に配置されている。出入口５は、ドア部材（不図示）によって開閉される。
【００１４】
ガイド機構７は、ラック部材６の内面に固定されたガイドレール７Ａと、出入口５を通過するようにガイドレール７Ａに移動可能に支持されたスライドレール７Ｂとを有する。本実施形態において、ガイドレール７Ａは、支柱６Ｂに支持されている。支柱６Ｂの少なくとも一部は、内部空間８に面するように配置される。すなわち、支柱６Ｂは、内部空間８に面する内面を有する。ガイドレール７Ａは、支柱６Ｂの内面に固定されている。
【００１５】
本実施形態において、ガイド機構７は、ガイドレール７Ａを２つ有する。ガイドレール７Ａのそれぞれは、Ｘ軸方向に長い。２つのガイドレール７Ａは、ほぼ平行に配置されている。
【００１６】
スライドレール７Ｂは、ガイドレール７Ａにガイドされて、Ｘ軸方向に移動可能である。スライドレール７Ｂは、２つのガイドレール７Ａに対応するように、２つ設けられている。スライドレール７Ｂの先端（−Ｘ側の端）は、ガイドレール７Ａに支持されて、出入口５を移動可能である。スライドレール７Ｂが＋Ｘ方向に移動することによって、そのスライドレール７Ｂの先端は、ラック部材６の内部空間８に配置される。また、スライドレール７Ｂが−Ｘ方向に移動することによって、そのスライドレール７Ｂの先端は、ラック部材６の外部空間に配置される。支持機構４は、スライドレール７Ｂの先端に支持されている。スライドレール７Ｂを含むガイド機構７は、支持機構４をＸ軸方向にガイドする。
【００１７】
コンソール３は、第１部分３Ａと、ヒンジ９を介して第１部分３Ａに接続される第２部分３Ｂとを有する。コンソール３は、入力装置と出力装置とを有する。入力装置は、例えばキーボード、及びポインティングデバイス等を含む。出力装置は、例えば液晶ディスプレイを含む。本実施形態において、第１部分３Ａに、入力装置が配置され、第２部分３Ｂに、出力装置が配置されている。
【００１８】
第１部分３Ａと第２部分３Ｂとがヒンジ９を介して接続されているので、コンソール３は、折りたたむことがきる。図２は、コンソール３が折りたたまれた状態を示す。コンソール３は、折りたたみ可能なので、そのコンソール３を折りたたむことによって、コンパクトにすることができる。
【００１９】
また、コンソールユニット１は、ラック部材６の内部空間８に配置されたサーバ等の電子機器１０を備えている。本実施形態において、電子機器１０は、ガイドレール７Ａに支持されている。電子機器１０とコンソール３とは、ケーブルを介して接続される。各種情報及び信号は、ケーブルを介して、電子機器１０とコンソール３との間で通信される。なお、電力が、ケーブルを介して、電子機器１０とコンソール３との間で伝達されてもよい。なお、図１，図２，及び図３には、ケーブルは図示されていない。なお、ケーブルが、折り曲げ可能なケーブルホルダに保持されてもよい。
【００２０】
図４は、本実施形態に係る支持機構４を上方から見た図、図５は、本実施形態に係る支持機構４を示す側断面図である。なお、図４には、コンソール３は図示されてなく、図５には、コンソール３が図示されている。
【００２１】
図１，図２，図３，図４，及び図５において、支持機構４は、スライドレール７Ｂの先端に支持されるベース部材１１と、ベース部材１１上において、コンソール３を支持して回転可能な回転部材１２とを有する。本実施形態において、支持機構４は、ベース部材１１上で回転部材１２を回転可能に支持する回転機構１３を有する。回転部材１２は、回転機構１３により、ベース部材１１上で回転可能である。
【００２２】
回転部材１２は、コンソール３を支持する第１面２１と、第１面２１の反対側の第２面２２とを有する。本実施形態においては、コンソール３のうち、第１部分３Ａが第１面２１に支持される。
【００２３】
本実施形態において、回転部材１２は、プレート状の部材である。第１面２１は、＋Ｚ側を向く面である。第２面２２は、−Ｚ側を向く面である。本実施形態において、第１面２１及び第２面２２のそれぞれは、ＸＹ平面とほぼ平行である。本実施形態において、ＸＹ平面内における回転部材１２の外形は、ほぼ円形である。なお、ＸＹ平面内における回転部材１２の外形が、円形以外の形状（例えば、四角形）でもよい。コンソール３を支持することができれば、回転部材１２の外形は、任意である。
【００２４】
ベース部材１１は、回転部材１２を回転可能に支持する。回転部材１２は、コンソール３を支持した状態で、ベース部材１１上で、ＸＹ平面内において回転する。ベース部材１１は、回転部材１２の第２面２２と対向する第３面２３を有する。
【００２５】
本実施形態においては、ベース部材１１が、ガイド機構７のスライドレール７Ｂに支持される。ベース部材１１は、スライドレール７Ｂの先端に支持される。ベース部材１１は、スライドレール７Ｂの先端において、Ｘ軸方向にガイドされる。すなわち、本実施形態においては、支持機構４のうち、ベース部材１１が、ガイド機構７にガイドされる。
【００２６】
本実施形態において、ベース部材１１上で回転部材１２を回転可能に支持する回転機構１３は、ベース部材１１の第３面２３上に設けられたレール１４と、回転部材１２に設けられ、レール１４上を移動する車輪１５とを有する。本実施形態においては、レール１４は、ＸＹ平面内において、リング状に設けられている。車輪１５は、第２面２２側に配置されている。車輪１５は、第２面２２に固定された支持部材２６に回転可能に支持されている。車輪１５は、所定の間隔（例えば等間隔）で、少なくとも３つ設けられている。本実施形態においては、車輪１５は、４つ設けられている。リング状のレール１４上を車輪１５が移動することによって、回転部材１２は、ＸＹ平面内において回転可能である。すなわち、本実施形態においては、回転部材１２は、Ｚ軸を回転軸として回転する。換言すれば、回転部材１２は、θＺ方向に回転する。回転部材１２の回転中心は、リング状のレール１４の中心とほぼ一致する。
【００２７】
本実施形態において、ＸＹ平面内におけるベース部材１１の外形は、ほぼ四角形である。なお、ＸＹ平面内におけるベース部材１１の外形が、四角形以外の形状（例えば、円形）でもよい。回転部材１２を支持することができれば、ベース部材１１の外形は、任意である。
【００２８】
本実施形態において、ＸＹ平面内における回転部材１２の外形の大きさは、ベース部材１１の外形の大きさより小さい。なお、回転部材１２の外形が、ベース部材１１の外形とほぼ同じ大きさでもよい。
【００２９】
回転部材１２は、回転中心に形成され、コンソール３に接続されるケーブル３０を配置可能な開口１６を有する。本実施形態において、回転部材１２の回転中心に、貫通孔１７が形成されている。本実施形態において、貫通孔１７の上端に、開口１６が配置される。
【００３０】
ベース部材１１は、回転部材１２の貫通孔１７の下端と対向する位置に開口１８を有する。また、本実施形態においては、ベース部材１１は、開口１８に通じる内部空間１９を有する。回転部材１２に支持されるコンソール３に接続されるケーブル３０の少なくとも一部は、内部空間１９、開口１８、及び貫通孔１７（開口１６）に亘って配置される。
【００３１】
次に、上述したコンソールユニット１の使用方法について説明する。コンソール３を操作するために、作業者は、ラック部材６の内部空間８に配置されている支持機構４に支持されているコンソール３を外部空間に移動する。支持機構４は、ＸＹ平面内のＸ軸方向に移動するようにガイド機構７にガイドされるので、例えば作業者によって支持機構４が出入口５を介して外部空間に引き出されることによって、内部空間８に配置されていた支持機構４（コンソール３）は、外部空間に移動する。内部空間８にコンソール３が配置されているとき、そのコンソール３は折りたたまれている。したがって、内部空間８から外部空間に支持機構４（コンソール３）を引き出した直後においては、コンソールユニット１は、図２に示す状態である。
【００３２】
本実施形態においては、回転部材１２の外形が、ガイド機構７にガイドされるベース部材１１の外形より小さいので、回転部材１２は、出入口５を円滑に通過することができる。
【００３３】
コンソール３を支持した支持機構４が外部空間に移動され、コンソールユニット１が図２に示す状態になった後、作業者は、例えば図１に示す状態にコンソール３をセットした状態で、コンソール３を操作することができる。図１に示す状態においては、作業者は、例えばコンソール３の−Ｘ側に位置した状態で、コンソール３を操作することができる。
【００３４】
本実施形態においては、支持機構４がコンソール３を回転可能に支持しているので、例えば図３に示す状態にコンソール３をセットすることができる。すなわち、本実施形態においては、コンソールユニット１が、コンソール３を回転可能に支持する支持機構４を備えているので、コンソール３の向きを簡単に変えることができる。
【００３５】
そして、図３に示す状態においては、作業者は、例えばコンソール３の＋Ｙ側に位置した状態で、コンソール３を操作することができる。
【００３６】
また、図３に示す状態においては、作業者は、コンソール３の近くに位置することができるとともに、ラック部材６の近くに位置することができる。したがって、作業者は、コンソール３の＋Ｙ側に位置した状態で、コンソール３及びラック部材６（例えば電子機器１０、あるいはラック部材６に搭載されている各種の機器）の両方を円滑に操作することができる。
【００３７】
作業が終了した後、コンソール３が折りたたまれ、そのコンソール３を支持した支持機構４が、内部空間８に移動される。支持機構４は、ガイド機構７にガイドされて、＋Ｘ方向に移動して、内部空間８に配置される。
【００３８】
以上説明したように、本実施形態によれば、ガイド機構７にガイドされる支持機構４が、コンソール３を回転可能に支持するようにしたので、支持機構４を内部空間８から外部空間に引き出した後、外部空間において、コンソール３の向きを簡単に変えることができる。したがって、作業者は、作業しやすい体勢となるようにコンソール３の向きを簡単に変えることができる。したがって、コンソールユニット１の操作性、作業性を向上することができる。
【００３９】
また、例えばラック装置２の周囲の環境によっては、作業者がコンソール３を円滑に操作できなくなる可能性がある。例えば、ガイド機構７によって支持機構４を外部空間に引き出すことによって、作業スペースが小さくなり、その結果、作業し難くなる可能性がある。
【００４０】
本実施形態によれば、コンソール３の向きを自由に変えることができるので、例えば図１に示す状態では作業スペースが小さくても、図３に示す状態にすることによって、作業スペースを確保することができる。例えば、図１に示す状態では、ラック部材６とコンソール３と作業者とが、Ｘ軸方向に並ぶ必要がある。図３に示す状態にすることによって、コンソール３（支持機構４）を−Ｘ方向に大きく引き出さなくても、コンソール３を円滑に操作することができる。
【００４１】
また、図３に示す状態においては、作業者は、コンソール３とラック部材６との両方に容易にアクセス可能である。したがって、例えばコンソール３を操作しつつ、ラック部材６に搭載されている各種の機器を操作することができる。したがって、コンソールユニット１の操作性、作業性を向上することができる。
【００４２】
また、本実施形態においては、回転部材１２を回転可能に支持する回転機構１３は、ベース部材１１の第３面２３にリング状に設けられたレール１４と、回転部材１２に設けられ、レール１４上を移動する車輪１５とを有する構成である。これにより、回転中心の全方位における任意の方向にコンソール３を向けることができる。本実施形態においては、コンソール３が、図１に示す状態及び図３に示す状態にセットされる場合を例にして説明したが、図１及び図３に示す向きに限られず、例えば表示装置が−Ｙ側を向くようにコンソール３をセットすることができるし、＋Ｘ側を向くようにセットすることもできる。このように、任意の方向にコンソール３を向けることができるので、より一層、操作性、作業性を向上することができる。
【００４３】
また、本実施形態においては、回転部材１２の回転中心に開口１６が形成されており、その開口１６の内側にケーブル３０が配置され、そのケーブル３０の一端がコンソール３に接続される。したがって、回転部材１２でコンソール３を支持した状態で、その回転部材１２を回転した場合でも、ケーブル３０に過剰な負荷が作用することが抑制される。したがって、ケーブル３０が損傷したり、破断したりすることが抑制され、ケーブル３０の寿命の低下を抑制することができる。
【００４４】
また、ケーブル３０に過剰な負荷が作用されないので、回転部材１２を円滑に回転することができる。したがって、操作性、作業性の低下を抑制できる。本実施形態においては、ケーブル３０（開口１６）の周囲に、リング状のレール１４を配置し、そのレール１４上を移動可能な車輪１５を、開口１６の周囲において所定の間隔（例えば等間隔）で配置しているので、回転部材１２を円滑に回転することができる。
【００４５】
また、本実施形態においては、貫通孔１７の下端と対向するベース部材１１の所定位置に、ケーブル３０を配置可能な開口１８を設けるとともに、その開口１８に通じる内部空間１９をベース部材１１に設けたので、それら内部空間１９、開口１８、及び貫通孔１７に亘ってケーブル３０を配置することによって、ケーブル３０が回転部材１２の回転、すなわちレール１４上における車輪１５の移動を妨げることを抑制することができる。
【００４６】
なお、上述の実施形態においては、レール１４がリング状である場合を例にして説明したが、例えば、ＸＹ平面内におけるレール１４の形状が、円弧状でもよい。
【００４７】
また、上述の実施形態においては、回転中心の全方位における任意の方向にコンソール３を向けることができる場合を例にして説明したが、回転中心に対する一部の方位のみにコンソール３が向くようにしてもよい。
【００４８】
なお、上述の実施形態において、回転部材１２の位置を固定するストッパ機構を設けてもよい。例えば、図１に示す状態にコンソール３をセットした状態で、ストッパ機構を用いて、回転部材１２（コンソール３）の位置を固定することができる。あるいは、図３に示す状態にコンソール３をセットした状態で、ストッパ機構を用いて、回転部材１２（コンソール３）の位置を固定することができる。
【００４９】
なお、上述の実施形態においては、回転機構１３が、作業者等、外部から作用される力によって回転することとしたが、例えば回転部材１２を回転可能なアクチュエータを設け、そのアクチュエータの力で、回転部材１２（コンソール３）を回転させてもよい。
【００５０】
なお、上述の実施形態においては、電子機器１０とコンソール３とがケーブル２０を介して接続されることとしたが、例えば電子機器１０との間で無線で通信可能な無線通信装置を支持機構４に設け、その無線通信装置を用いて、電子機器１０とコンソール３との間で通信してもよい。こうすることにより、電子機器１０とコンソール３（支持機構４）との間のケーブルを省略することができる。また、無線通信装置を、第２面２２と第３面２３との間に設け、開口１６を介して無線通信装置とコンソール３とを接続することによって、例えばベース部材１１にケーブルを配置する必要がなくなる。
【００５１】
なお、上述の実施形態においては、ラック装置２がコンソールユニット１に適用される場合を例にして説明したが、支持機構４に支持される機器が、コンソール３以外の機器でもよい。
【符号の説明】
【００５２】
１…コンソールユニット、２…ラック装置、３…コンソール、４…支持機構、５…出入口、６…ラック部材、７…ガイド機構、８…内部空間、９…ヒンジ、１６…開口、２１…第１面、２２…第２面、２３…第３面、３０…ケーブル
【図１】
2011065549.tif 000003
【図２】
2011065549.tif 000004
【図３】
2011065549.tif 000005
【図４】
2011065549.tif 000006
【図５】
2011065549.tif 000007